(57)【要約】【課題】ファンの送風方向に対してノズルの噴霧方向を可変とすることにより、きめ細かい冷房を行なえるようにした細霧冷房装置を提供する。【解決手段】ファン２と、ファン２の送風口３側に位置して、細霧を噴霧するノズル４，４…とを備えた細霧冷房装置１であって、ノズル４は、ファン２の送風方向に対して噴霧方向が可変自在に設けられている。即ち、ノズル４は、連通自在のボールジョイント２１を介して水供給管８に噴霧方向を可変自在に連結される。ファン２を通風自在に収納するファンケース５は、ファンケース取付フレーム６に回転自在に軸支され、送風方向を可変自在に構成され、水供給管８は、アーム７，７を介してファンケース取付フレーム６に回転自在に軸支され、水供給管８に連結されるノズル４，４…の噴霧方向を可変自在に構成されている。【選択図】図１
0003145058.tif 000002
【実用新案登録請求の範囲】
【請求項１】
ファンと、前記ファンの送風口側に位置して、細霧を噴霧するノズルとを備えた細霧冷房装置であって、前記ノズルは、前記ファンの送風方向に対して噴霧方向が可変自在に設けられたことを特徴とする細霧冷房装置。
【請求項２】
前記ノズルは、連通自在のボールジョイントを介して水供給管に噴霧方向を可変自在に連結されることを特徴とする請求項１記載の細霧冷房装置。
【請求項３】
前記ノズルは、連通自在の焼きなまし軟銅管を介して水供給管に噴霧方向を可変自在に連結されることを特徴とする請求項１記載の細霧冷房装置。
【請求項４】
前記ノズルは、連通自在のフレキシブルパイプを介して水供給管に噴霧方向を可変自在に連結されることを特徴とする請求項１記載の細霧冷房装置。
【請求項５】
前記ノズルは、着脱自在に連結されることを特徴とする請求項１乃至４のうちいずれか一に記載の細霧冷房装置。
【請求項６】
前記ファンを通風自在に収納するファンケースは、ファンケース取付フレームに回転自在に軸支され、送風方向を可変自在に構成されていることを特徴とする請求項１乃至５のうちいずれか一に記載の細霧冷房装置。
【請求項７】
前記水供給管は、アームを介して前記ファンケース取付フレームに回転自在に軸支され、前記水供給管に連結される前記ノズルの噴霧方向を可変自在に構成されていることを特徴とする請求項６記載の細霧冷房装置。
【考案の詳細な説明】
【技術分野】
【０００１】
本考案は、ファンの送風口側に細霧ノズルを設け、細霧の気化潜熱により温度の下がった空気をファンにより、遠方に送出する細霧冷房装置に関するものである。
【背景技術】
【０００２】
この種従来の細霧冷房装置は、例えば、園芸農業ハウス内の冷房や、大面積で冷房装置配管が設けられない工場、体育館等の屋内空間や、冷房空間を密閉できない動物園や博覧会等の屋外空間で用いられ、細霧の気化潜熱により温度の下がった空気をファンにより、遠方に送出して、対象空間の冷房を行い、同時に加湿を行うものである。
この種の技術が記載された先行文献として、例えば特許文献１があり、特許文献１は、ハウス内に設置される温風発生装置を利用し、温風発生装置の温風突出側に細霧発生装置を取り付け、ハウス全体に冷風を送って均一な冷房及び加湿を行なうことのできる細霧冷房装置を提供するものである。
【特許文献１】特開２０００−１３９２４０号公報
【考案の開示】
【考案が解決しようとする課題】
【０００３】
従来の細霧冷房装置及び前記特許文献１に記載の装置は、ファンの送風方向に対してノズルの噴霧方向が固定されており、ノズルの噴霧方向の調節ができないものであった。
然しながら、冷房の対象空間によっては、特定のエリアを集中的に冷房したいという要望があり、或いは、冷房を強めにするエリアと、弱めにするエリアを区別したいという要望があり、従来の細霧冷房装置はこれらの要望を十分に満たすことが出来ないものであった。
【０００４】
以上の現状に鑑み、本考案は、ファンの送風方向に対してノズルの噴霧方向を可変とすることにより、きめ細かい冷房を行なえるようにした細霧冷房装置を提供することを目的とする。
【課題を解決するための手段】
【０００５】
上記の課題を解決すべく、本考案は以下の構成を提供する。
請求項１に係る考案は、ファンと、前記ファンの送風口側に位置して、細霧を噴霧するノズルとを備えた細霧冷房装置であって、前記ノズルは、前記ファンの送風方向に対して噴霧方向が可変自在に設けられたことを特徴とする細霧冷房装置を提供するものである。
【０００６】
請求項２に係る考案は、前記ノズルは、連通自在のボールジョイントを介して水供給管に噴霧方向を可変自在に連結されることを特徴とする請求項１記載の細霧冷房装置を提供するものである。
【０００７】
請求項３に係る考案は、前記ノズルは、連通自在の焼きなまし軟銅管を介して水供給管に噴霧方向を可変自在に連結されることを特徴とする請求項１記載の細霧冷房装置を提供するものである。
【０００８】
請求項４に係る考案は、前記ノズルは、連通自在のフレキシブルパイプを介して水供給管に噴霧方向を可変自在に連結されることを特徴とする請求項１記載の細霧冷房装置を提供するものである。
【０００９】
請求項５に係る考案は、前記ノズルは、着脱自在に連結されることを特徴とする請求項１乃至４のうちいずれか一に記載の細霧冷房装置を提供するものである。
【００１０】
請求項６に係る考案は、前記ファンを通風自在に収納するファンケースは、ファンケース取付フレームに回転自在に軸支され、送風方向を可変自在に構成されていることを特徴とする請求項１乃至５のうちいずれか一に記載の細霧冷房装置を提供するものである。
【００１１】
請求項７に係る考案は、前記水供給管は、アームを介して前記ファンケース取付フレームに回転自在に軸支され、前記水供給管に連結される前記ノズルの噴霧方向を可変自在に構成されていることを特徴とする請求項６記載の細霧冷房装置を提供するものである。
【考案の効果】
【００１２】
本考案の請求項１記載の考案によれば、ファンの送風方向に対してノズルの噴霧方向を可変とすることにより、きめ細かい冷房を行なえるようにした細霧冷房装置を提供することができる。
【００１３】
請求項２記載の考案によれば、請求項１記載の考案の効果に加え、ボールジョイントによって、ノズルの噴霧方向を可変とすることができる。
【００１４】
請求項３記載の考案によれば、請求項１記載の考案の効果に加え、焼きなまし軟銅管によって、ノズルの噴霧方向を可変とすることができる。
【００１５】
請求項４記載の考案によれば、請求項１記載の考案の効果に加え、フレキシブルパイプによって、ノズルの噴霧方向を可変とすることができる。
【００１６】
請求項５記載の考案によれば、請求項１乃至４のうちいずれか一に記載の考案の効果に加え、ノズルを着脱自在に連結することによりノズルの清掃等を容易にすることができる。
【００１７】
請求項６記載の考案によれば、請求項１乃至５のうちいずれか一に記載の考案の効果に加え、フレームに対しファンを回転させることにより、送風方向を変えることができる。
【００１８】
請求項７記載の考案によれば、請求項６記載の考案の効果に加え、ファン取付用フレームに対し、水供給管を回転させることにより、送風方向に対しノズルの噴霧方向を変えることができる。
【考案を実施するための最良の形態】
【００１９】
以下、実施例を示した図面を参照しつつ本考案の実施の形態を説明する。
図１に於いて、１は、本考案の細霧冷房装置を示し、細霧冷房装置１は、ファン２と、ファン２の送風口３側に位置して、細霧を噴霧するノズル４，４…とを備え、ノズル４は、後述するように、ファン２の送風方向に対して噴霧方向が可変自在に設けられている。
前記ファン２は、筒型ファンケース５内に通風自在に収納され、ファンケース５は、水平方向に延びる上下のブラケット状のファンケース取付フレーム６に回転自在に軸支され、送風方向を可変自在に構成されている。
そして、ファンケース取付フレーム６には、アーム７，７を介して水供給管８が回転自在に軸支され、水供給管８はファン２の送風口３側に位置するように配設され、且つ、水供給管８に連結されるノズル４の噴霧方向を可変自在に構成されている。
尚、ファンケース５と、アーム７，７とは、図１に示すように同軸で軸支されるが、同軸でなくても良い。
水供給管８は、送風口３側から見て、図１（ｂ）に示すように、例えば、十字状に配設され、十字状に配設された水供給管８の中心部と、その中心部から一定間隔離間した略同心円位置で、且つ、送風口３の送風範囲内にノズル４，４…が配設されている。
尚、図１に於いて、９は、水供給管８に連結される給水ホース、１０は、水供給管８のメクラキャップ、１１は、ファンケース取付フレーム６にファンケース５を回転自在に取り付けるためのフレーム取付ノブ、１２は、水供給管８と給水ホース９との接続金具、１３は、給水ホース９の締め付け金具である。
【００２０】
前記ノズル４は、図２（ａ）に示す如く、連通自在のボールジョイント２１を介して矢印に示すように噴霧方向を可変自在に水供給管８に連結されている。図２（ｂ）は、ノズル４の噴霧方向をやや上方に向けた例を示している。
更に詳細に説明すると、ボールジョイント２１は、略球形状のボール部２２と管部２３とが一体に形成され、ボール部２２と管部２３の中心部には連通孔２４が貫通して形成され、ボール部２２と管部２３の中心部は連通している。
そして、ボールジョイント２１は、連結金具２５を介して水供給管８に連結され、ボールジョイント２１の先端に連結金具２６を介してノズル４が螺着されている。
前記連結金具２５は、詳細には、水供給管８に連通自在に固着された第１連結金具２７と、ボールジョイント２１のボール部２２を回転自在に連結する第２連結金具２８と、第１連結金具２７と第２連結金具２８とを連通自在に接続する第３連結金具２９とから構成される。
ボールジョイント２１のボール部２２は、第２連結金具２８内に内装されたパッキン３０内に回転自在に嵌挿され、パッキン３０によって水漏れが防止される構成になっている。
そして、ノズル４は、清掃等を容易に行なえるようにするため、連結金具２６に着脱自在に螺着されている。
【００２１】
従って、細霧冷房装置１は、ファン２を収納するファンケース５が、ファンケース取付フレーム６に回転自在に軸支されているので、送風方向を変更することが可能であり、更に、水供給管８に固着されたアーム７，７がファンケース取付フレーム６に回転自在に軸支され、水供給管８に連結されたノズル４，４…がボールジョイント２１を介して噴霧方向を可変自在に設けられているので、ファン２の送風方向に対して、噴霧方向を変更することが可能である。
【００２２】
図３は、本考案の第１変形例を示し、前記細霧冷房装置（図１に於いて１）のボールジョイント（図２に於いて２１）に代えて、管内を水が連通自在の焼きなまし軟銅管４１を設けたものであり、ノズル４は、焼きなまし軟銅管４１を介して噴霧方向を可変自在に水供給管８に連結される。
焼きなまし軟銅管４１は屈曲自在であり、適宜屈曲させることにより、焼きなまし軟銅管４１の先端部の方向が変化し、ノズル４の噴霧方向を変えることができる。
尚、焼きなまし軟銅管４１を取り付けるため、前記細霧冷房装置（図１に於いて１）の金具２６及び２９の取付構造も変更されるが、その変更は従来技術で対応できるものであるため、説明を省略する。
【００２３】
図４は、本考案の第２変形例を示し、前記細霧冷房装置（図１に於いて１）のボールジョイント（図２に於いて２１）に代えて、管内を水が連通自在のフレキシブルパイプ５１を設けたものであり、ノズル４は、フレキシブルパイプ５１を介して噴霧方向を可変自在に水供給管８に連結される。
フレキシブルパイプ５１は屈曲自在であり、適宜屈曲させることにより、フレキシブルパイプ５１の先端部の方向が変化し、ノズル４の噴霧方向を変えることができる。
尚、焼きなまし軟銅管４１を取り付けるため、前記細霧冷房装置（図１に於いて１）の金具２６及び２９の取付構造も変更されるが、その変更は従来技術で対応できるものであるため、説明を省略する。
【図面の簡単な説明】
【００２４】
【図１】（ａ）本考案による細霧冷房装置の一部分解正面図である。（ｂ）本考案による細霧冷房装置のノズルの配置構造を示す一部分解側面図である。
【図２】（ａ）本考案による細霧冷房装置のノズル部分の一部切欠分解正面図である。（ｂ）本考案による細霧冷房装置のノズル部分の噴霧方向を変化させた例を示す一部切欠分解正面図である。
【図３】本考案による第１変形例の細霧冷房装置のノズル部分の分解正面図である。
【図４】本考案による第２変形例の細霧冷房装置のノズル部分の分解正面図である。
【符号の説明】
【００２５】
１  細霧冷房装置
２  ファン
３  送風口
４  ノズル
５  ファンケース
６  ファンケース取付フレーム
７  アーム
８  水供給管
２１  ボールジョイント
４１  焼きなまし軟銅管
５１  フレキシブルパイプ
【図１】
0003145058.tif 000003
【図２】
0003145058.tif 000004
【図３】
0003145058.tif 000005
【図４】
0003145058.tif 000006